(57)【要約】【課題】揮発性が向上した高粘度指数の鉱油系潤滑基油及びその製造方法を提供する。【解決手段】本発明の鉱油系潤滑基油は、８５〜９２重量％のパラフィン系炭化水素及び８〜１５重量％のナフテン系炭化水素を含み、１０〜１２重量％のＮｏａｃｋ揮発性及び１３２〜１４２の粘度指数を有する。【選択図】図１
2020147741.tif 000002
【特許請求の範囲】
【請求項１】
８５〜９２重量％のパラフィン系炭化水素及び８〜１５重量％のナフテン系炭化水素を含み、１０〜１２重量％のＮｏａｃｋ揮発性、及び１３２〜１４２の粘度指数を有する、鉱油系潤滑基油。
【請求項２】
前記鉱油系潤滑油が、４１０〜４３０℃のＤ５重量％及び４５０〜４７０℃のＤ９５重量％を有する未転換油の蒸留留分に由来することを特徴とする、請求項１に記載の鉱油系潤滑基油。
【請求項３】
前記鉱油系潤滑基油が０．８１５乃至０．８３５の比重（６０／６０°Ｆ）を有することを特徴とする、請求項１に記載の鉱油系潤滑基油。
【請求項４】
前記鉱油系潤滑基油が３．９ｃＳｔ乃至４．４ｃＳｔの１００℃での動粘度を有することを特徴とする、請求項１に記載の鉱油系潤滑基油。
【請求項５】
前記鉱油系潤滑基油中の炭素数が２５〜３２である炭化水素の含有量は、鉱油系潤滑基油全体に対して８５重量％以上であることを特徴とする、請求項１に記載の鉱油系潤滑基油。
【請求項６】
請求項１乃至５のいずれか一項による鉱油系潤滑基油を１０〜８５重量％含む、潤滑油製品。
【請求項７】
前記潤滑油製品が５〜２５重量％のＤＩパッケージ（Ｄｅｔｅｒｇｅｎｔ  Ｉｎｈｉｂｉｔｏｒ  ｐａｃｋａｇｅ）、１〜１５重量％の粘度調整剤、及び０．１〜５重量％の流動点降下剤をさらに含むことを特徴とする、請求項６に記載の潤滑油製品。
【請求項８】
前記潤滑油製品は、合成基油を含まないことを特徴とする、請求項６に記載の潤滑油製品。
【請求項９】
前記潤滑油製品がポリアルファオレフィン（ＰＡＯ）またはエステル系基油を含まないことを特徴とする、請求項６に記載の潤滑油製品。
【請求項１０】
潤滑基油を製造する方法であって、
未転換油を提供するステップと、
前記未転換油を減圧蒸留して４１０〜４３０℃のＤ５重量％及び４５０〜４７０℃のＤ９５重量％を有する蒸留留分を分離する減圧蒸留ステップと、
前記減圧蒸留によって分離された蒸留留分を触媒脱蝋して、８５〜９２重量％のパラフィン系炭化水素、及び８〜１５重量％のナフテン系炭化水素を含む潤滑基油を得る触媒脱蝋ステップとを含む、潤滑基油を製造する方法。
【請求項１１】
前記減圧蒸留によって分離された蒸留留分が１４５〜１６０の粘度指数、５０ｐｐｍ以下の硫黄、及び３０ｐｐｍ以下の窒素を有することを特徴とする、請求項１０に記載の潤滑基油を製造する方法。
【発明の詳細な説明】
【技術分野】
【０００１】
本開示は、揮発性が向上した高粘度指数の鉱油系潤滑基油及びその製造方法に関する。
【背景技術】
【０００２】
潤滑基油とは、潤滑油製品の原料となるものであって、一般的に、優れた潤滑基油は、高粘度指数を有し、安定性（酸化、熱、ＵＶなどに対して）に優れるうえ、揮発性が少ないという特性を有する。米国石油協会ＡＰＩ（Ａｍｅｒｉｃａｎ  Ｐｅｔｒｏｌｅｕｍ  Ｉｎｓｔｉｔｕｔｅ）は、潤滑基油を品質によって下記表１のとおりに分類している。
【０００３】
【表１】
2020147741.tif 000003
【０００４】
一般に、鉱油系潤滑基油のうち、溶剤抽出法によって製造された潤滑基油は主にＧｒｏｕｐ  Ｉに該当し、水添改質法で製造された潤滑基油は主にＧｒｏｕｐ  ＩＩに該当し、高度の水素化分解反応によって製造された粘度指数の高い潤滑基油は主にＧｒｏｕｐ  ＩＩＩに該当する。潤滑油（ｌｕｂｒｉｃａｎｔ）は、潤滑基油（ｂａｓｅ  ｏｉｌ）と添加剤から構成される。全世界的に燃費規制に対応するために、高性能（例えば、燃費向上及び長寿命）の潤滑油に対する需要が増加している。高性能潤滑油の製造のために、一定水準以上の性状及び性能を有する潤滑基油を確保することが不可欠である。揮発性及び低温粘度に優れたポリアルファオレフィン（ＰＡＯ）基油が高性能潤滑油の製造に主に用いられている。
【０００５】
ポリアルファオレフィンは、典型的に、１−オクテン乃至１−ドデセンの範囲であるアルファオレフィンを重合して製造され、１−デセンが好ましい物質である。ＰＡＯは、ＡｌＣｌ3、ＢＦ3、またはＢＦ3錯体などの触媒の存在下でオレフィン供給物の重合によって製造できる。ＰＡＯの製造過程は、例えば、特許文献１、特許文献文献２及び特許文献３に開示されている。
ＰＡＯは、性能に優れるものの、価格が高くて潤滑油の生産コストを上昇させる。ＰＡＯを代替することができる、揮発性及び粘度指数が改善された鉱油系潤滑基油を、経済的に生産することが求められる。
【先行技術文献】
【特許文献】
【０００６】
【特許文献１】米国特許第３，３８２，２９１号明細書
【特許文献２】米国特許第４，１７２，８５５号明細書
【特許文献３】米国特許第３，７４２，０８２号明細書
【発明の概要】
【発明が解決しようとする課題】
【０００７】
そこで、本開示の第１観点は、揮発性及び粘度指数が改善された鉱油系潤滑基油を提供することにある。
本開示の第２観点は、第１観点の潤滑基油を含む潤滑油製品を提供することにある。
本開示の第３観点は、第１観点の潤滑基油を製造する方法を提供することにある。
【課題を解決するための手段】
【０００８】
本開示の第１観点を達成するための鉱油系潤滑基油は、８５〜９２重量％のパラフィン系炭化水素及び８〜１５重量％のナフテン系炭化水素を含み、１０〜１２重量％のＮｏａｃｋ揮発性及び１３２〜１４２の粘度指数を有する。
本開示の一実施形態によれば、前記鉱油系潤滑基油は、４１０〜４３０℃のＤ５重量％（５重量％まで留出）及び４５０〜４７０℃のＤ９５重量％（９５重量％まで留出）を含む沸点範囲を有する未転換油の蒸留留分に由来する。
本開示の一実施形態によれば、前記鉱油系潤滑基油は、０．８１５乃至０．８３５（６０／６０°Ｆ）の比重を有する。
本開示の一実施形態によれば、前記鉱油系潤滑基油は、３．９ｃＳｔ乃至４．４ｃＳｔの１００℃での動粘度を有する。
本開示の一実施形態によれば、前記鉱油系潤滑基油中の炭素数が２５〜３２である炭化水素の含有量は、鉱油系潤滑基油全体に対して８５重量％以上である。
本開示の第２観点を達成するための潤滑油製品は、本開示の第１観点の潤滑基油を１０〜８５重量％含む。
本開示の一実施形態によれば、前記潤滑油製品は、５〜２５重量％のＤＩパッケージ（Ｄｅｔｅｒｇｅｎｔ  Ｉｎｈｉｂｉｔｏｒ  ｐａｃｋａｇｅ）、１〜１５重量％の粘度調整剤、及び０．１〜５重量％の流動点降下剤をさらに含む。
本開示の一実施形態によれば、前記潤滑油製品は、合成基油を含まない。
本開示の一実施形態によれば、前記潤滑油製品は、ポリアルファオレフィン（ＰＡＯ）またはエステル系基油を含まない。
本開示の第３観点を達成するための潤滑基油を製造する方法は、未転換油を提供するステップと、前記未転換油を減圧蒸留して４１０〜４３０℃のＤ５重量％（５重量％まで留出する蒸留点）及び４５０〜４７０℃のＤ９５重量％（９５重量％まで留出する蒸留点）を含む沸点範囲を有する蒸留留分を分離する減圧蒸留ステップと、
前記減圧蒸留によって分離された蒸留留分を触媒脱蝋して８５〜９２重量％のパラフィン系炭化水素、及び８〜１５重量％のナフテン系炭化水素を含む潤滑基油を得る触媒脱蝋ステップとを含む。
本開示の一実施形態によれば、前記触媒脱蝋ステップは、２５０〜４１０℃の反応温度、３０〜２００ｋｇ／ｃｍ2ｇの反応圧力、０．１〜３．０ｈｒ-1の空間速度（ＬＨＳＶ）及び１５０〜１０００Ｎｍ3／ｍ3の供給原料に対する水素の体積比条件の下で行われる。
本開示の一実施形態によれば、前記減圧蒸留によって分離された蒸留留分は、１４５〜１６０の粘度指数、５０ｐｐｍ以下の硫黄及び３０ｐｐｍ以下の窒素を有する。
【発明の効果】
【０００９】
本開示による鉱油系潤滑基油は、ＰＡＯを代替することができるほど、向上した揮発性及び高い粘度指数を有する。また、本開示の方法によれば、ＰＡＯを代替することができる、向上した揮発性及び高い粘度指数を有する鉱油系潤滑基油を経済的に製造することができる。
【図面の簡単な説明】
【００１０】
【図１】本開示の一実施形態による潤滑基油を製造する工程の概略図である。
【図２】本開示の一実施形態による未転換油を製造する工程の概略図である。
【図３】減圧蒸留工程から蒸留留分が分離されることを示す概略図である。
【発明を実施するための形態】
【００１１】
図１は本開示の一つの実施形態に係る潤滑基油の製造工程を示す概略図である。図１に示すように、本開示の一実施形態による潤滑基油を製造する方法は、未転換油を提供するステップと、前記未転換油を減圧蒸留して、４１０〜４３０℃のＤ５重量％（５重量％まで留出）及び４５０〜４７０℃のＤ９５重量％（９５重量％まで留出）を含む沸点範囲を有する蒸留留分を分離する減圧蒸留ステップと、前記減圧蒸留によって分離された蒸留留分を触媒脱蝋して８５〜９２重量％のパラフィン系炭化水素及び８〜１５重量％のナフテン系炭化水素を含み、１０〜１２重量％のＮｏａｃｋ揮発性、１３２〜１４２の粘度指数、０．８１５〜０．８３５の比重（６０／６０°Ｆ）、及び３．９ｃＳｔ〜４．４ｃＳｔの１００℃での動粘度を有する潤滑基油を得る触媒脱蝋ステップとを含むことができる。
【００１２】
（ａ）未転換油の提供
本開示で使用されるように、用語「未転換油（ＵＣＯ）」は、燃料油の製造のための水素化分解工程に供給されたが、軽質燃料留分に転換されていない留分を意味する。
本開示の一実施形態において、１４５〜１６０、好ましくは１４７〜１５５、より好ましくは１４５〜１５３の粘度指数（ＶＩ）、０〜５０ｐｐｍｗ、好ましくは０．１〜３０ｐｐｍｗ、より好ましくは０．１〜１０ｐｐｍｗの硫黄、０〜３０ｐｐｍｗ、好ましくは０．１〜７ｐｐｍｗ、より好ましくは０．１〜５ｐｐｍｗの窒素を有する未転換油が使用できる。
未転換油の粘度指数が１４５よりも小さい場合には、１３０以上の高粘度指数を有する潤滑基油の製造が不可能であり、硫黄の含有量が５０ｐｐｍｗより大きく、及び／または窒素の含有量が３０ｐｐｍｗよりも大きい場合には、後続の工程で使用される触媒の寿命を低下させて反応効率の減少を引き起こすおそれがある。
【００１３】
図２は本開示の一実施形態による未転換油を製造する工程の概略図である。
一般に、燃料油水素化分解工程（ｆｕｅｌ  ｈｙｄｒｏｃｒａｃｋｅｒ）は、常圧残渣油（ＡＲ）を、より具体的には重質炭化水素混合物を減圧蒸留する工程（Ｖ１）を介して得られた減圧ガス油（ＶＧＯ）を水添分解する工程である。燃料油水素化分解工程は、主反応工程である水素化分解反応工程（Ｒ２）の触媒を保護するために、まず、減圧ガス油（ＶＧＯ）に含まれている不純物である硫黄、窒素、酸素などが含有されたヘテロ化合物及び金属成分を除去する前処理工程である水素化処理反応工程（Ｒ１）を含む。その次、減圧ガス油は、主反応工程である水素化分解反応工程（Ｒ２）を経るが、減圧ガス油中の芳香族化合物やオレフィン化合物などの不飽和炭化水素は、水素が添加されて飽和炭化水素であるナフテン化合物またはパラフィン化合物に転換され、環状飽和炭化水素であるナフテン化合物の一部は、開環して直鎖状炭化水素であるパラフィン化合物に転換されることもある。また、これらの化合物は、より小さい化合物に分解されることもあるが、このような一連の過程を水添分解反応（ｈｙｄｒｏｃｒａｃｋｉｎｇ）と呼び、水添分解反応を介して軽質炭化水素混合物、すなわち軽質燃料留分に転換される。
【００１４】
前記２ステップの反応工程を経たオイル及び水素は、分離器を経て水素を除去して再循環させ、第１分別蒸留工程（Ｆｓ１）を介して、転換された各種軽質燃料留分及びガスを分離して製品化する。このとき、重質留分である減圧ガスオイルが軽質燃料留分に転換される転換率は、一般に、パスあたりの反応コンバーション率（ｒｅａｃｔｏｒ  ｐｅｒ  ｐａｓｓ）であって、５０〜９０％程度に設計される。パスあたりの転換率を１００％として運転することは現実的に不可能なので、最後の分別蒸留ステップでは、常に未転換油（ｕｎｃｏｎｖｅｒｔｅｄ  ｏｉｌ、ＵＣＯ）が生成される。未転換油は、そのままタンクへ移送する一方向モード（ｏｎｃｅｔｈｒｏｕｇｈ  ｍｏｄｅ）、または水素化分解反応工程に再循環させて総括コンバーション率を高めるためのリサイクルモード（ｒｅｃｙｃｌｅ  ｍｏｄｅ）によって処理される。このとき、水素化処理及び水素化分解反応は、典型的に高い温度及び水素分圧の下で、触媒が充填された固定床反応器内で行われる。よって、供給原料である減圧ガス油に含有されたほとんどの芳香族化合物と硫黄、窒素、酸素元素を含むヘテロ環化合物が水素によって飽和され、結果的に芳香族及び硫黄、窒素、酸素化合物の含有量が非常に少なくなる。水添分解反応過程で軽質燃料留分に転換されていない未転換油は、潤滑基油に好ましくない成分である芳香族及びヘテロ化合物が少ないのはもとより、潤滑基油として適した粘度を有する留分であるため、このような未転換油に適した流動性及び安定性を与えると、品質に優れた潤滑基油を製造することができる。このような未転換油の代表的な性状は、下記表２に示す。
【００１５】
【表２】
2020147741.tif 000004
【００１６】
未転換油を製造する工程は、韓国公開特許第１９９４−００２６１８５号及び韓国特許第０８７７００４号に開示されており、これらの全体内容は、参照として本明細書に含まれる。
【００１７】
（ｂ）減圧蒸留
未転換油は、意図する揮発性及び粘度特性を有する潤滑基油製造用蒸留留分（ｄｉｓｔｉｌｌａｔｅ）を得るために、減圧蒸留分離器（ＶＤＵ）を経る。未転換油は、減圧蒸留分離器で一つ以上の蒸留留分に分離される。
【００１８】
本開示の一実施形態によれば、減圧蒸留ステップは、２９０〜３５０℃の塔底温度、６０〜１００ｍｍＨｇの塔底圧力、６０〜９０℃の塔頂温度、及び５０〜９０ｍｍＨｇの塔頂圧力で行われる。
【００１９】
前記減圧蒸留ステップを経て分離された未転換油のうち、Ｄ５重量％が４１０〜４３０℃であり且つＤ９５重量％が４５０〜４７０℃である、好ましくは、Ｄ５重量％が４１５〜４３０℃であり且つＤ９５重量％が４５０〜４６５℃である、より好ましくは、Ｄ５重量％が４１５〜４２５℃であり且つＤ９５重量％が４５５〜４６５℃である狭い沸点範囲を有する蒸留留分は、触媒脱蝋工程に供給される。この狭い範囲から外れた蒸留性状を有する蒸留留分は、水素化分解装置または他のアップグレードユニットへ移送して活用することができる。Ｄ５重量％は５重量％の蒸留点に対応し、Ｄ９５重量％は９５重量％の蒸留点に対応し、前記沸点範囲はＡＳＴＭ  Ｄ１１６０に準拠して決定できる。
Ｄ５重量％が４１０℃よりも低ければ、基油製品の揮発性が悪化するおそれがあり、Ｄ５重量％が４３０℃よりも高ければ、基油製品の収率が減少するという問題点が発生するおそれがある。そして、Ｄ９５重量％が４５０℃よりも低ければ、基油製品の収率が減少し、Ｄ９５重量％が４７０℃よりも高ければ、目標とする動粘度を満たすために軽質留分の添加が不可避であって、同様に基油製品の揮発性が悪化するおそれがある。
【００２０】
図３は減圧蒸留工程から蒸留留分が分離されることを示す概略図である。減圧蒸留を経て算出された蒸留留分のうち、前記狭い沸点範囲の性状を有する蒸留留分が後続の脱蝋工程に導入され、本開示の目的性状に符合しない留分は、他のアップグレード工程に導入され得る。減圧蒸留からの留分は、連続的に後続の工程に導入できるか、或いは別途のタンクに貯蔵してから使用することもできる。
【００２１】
（ｃ）触媒脱蝋
触媒脱蝋反応は、水素化分解残渣油の蝋成分を選択的に異性化させてｎ−パラフィンをイソパラフィンに転換して低温性状を良くする（低い流動点を確保）。
【００２２】
本開示の一実施形態において、触媒脱蝋ステップは、２５０〜４１０℃の反応温度、３０〜２００ｋｇ／ｃｍ2ｇの反応圧力、０．１〜３．０ｈｒ-1の空間速度（ＬＨＳＶ）及び１５０〜１０００Ｎｍ3／ｍ3の供給原料に対する水素の体積比条件の下で行われ得る。
ここで使用される触媒は、主に二元機能（Ｂｉ−ｆｕｎｃｔｉｏｎａｌ）触媒である。二元機能触媒は、水素化／脱水素化反応のための金属活性成分（Ｍｅｔａｌ  Ｓｉｔｅ）とカルベニウムイオン（ｃａｒｂｅｎｉｕｍ  ｉｏｎ）を用いた骨格異性化反応（ｓｋｅｌｅｔａｌ  ｉｓｏｍｅｒｉｚａｔｉｏｎ）のための酸点を有する担体（Ａｃｉｄ  Ｓｉｔｅ）の二つの活性成分から構成されるが、ゼオライト構造の触媒として、アルミノシリケート担体と、第８族金属及び第６族金属の中から１つ以上選択される金属とから構成されるのが一般的である。
【００２３】
本開示で使用可能な脱蝋反応触媒は、分子ふるい（Ｍｏｌｅｃｕｌａｒ  Ｓｉｅｖｅ）、アルミナ及びシリカ−アルミナから選択される酸点を有する担体と、周期律表の第２族、第６族、第９族及び第１０族元素から選択される１つ以上の水素化機能を有する金属とを含み、特に第９族及び第１０族（すなわち、ＶＩＩＩ族）金属の中ではＣｏ、Ｎｉ、Ｐｔ、Ｐｄが好ましく、第６族（すなわち、ＶＩＢ族）金属の中ではＭｏ、Ｗが好ましい。
【００２４】
前記酸点を有する担体の種類としては、分子ふるい（Ｍｏｌｅｃｕｌａｒ  Ｓｉｅｖｅ）、アルミナ、シリカ−アルミナなどを含み、これらのうちの分子ふるいは、結晶性アルミノシリケート（ゼオライト）、ＳＡＰＯ、ＡＬＰＯなどをいうものであって、１０員酸素環（１０−ｍｅｍｂｅｒｅｄ  Ｏｘｙｇｅｎ  Ｒｉｎｇ）を有する中細孔（Ｍｅｄｉｕｍ  Ｐｏｒｅ）分子ふるいとして、ＳＡＰＯ−１１、ＳＡＰＯ−４１、ＺＳＭ−１１、ＺＳＭ−２２、ＺＳＭ−２３、ＺＳＭ−３５、ＺＳＭ−４８などと、１２員酸素環を有する大細孔（Ｌａｒｇｅ  Ｐｏｒｅ）分子ふるいが使用できる。
【００２５】
本開示の一実施形態に係る潤滑基油は、８５重量％〜９２重量％、８６重量％〜９１重量％、８７重量％〜９０重量％、またはこれらの間の全範囲及び下位範囲のパラフィン系炭化水素を含むことができる。また、本開示の一実施形態に係る潤滑基油は、８重量％〜１５重量％、９重量％〜１４重量％、１０重量％〜１３重量％、またはこれらの間の全範囲及び下位範囲のナフテン系炭化水素を含むことができる。
【００２６】
ＰＡＯ基油及びＧＴＬ基油において、約９９重量％がパラフィン系炭化水素であるのに対し、本開示による潤滑基油は、原油に由来した鉱油系潤滑基油であって、８５重量％〜９２重量％のパラフィン系炭化水素を含む。パラフィン系炭化水素の含有量が８５重量％よりも小さい場合には、潤滑基油の酸化安定性が相対的に低下するおそれがあり、９２重量％よりも大きい場合には、潤滑油製品の製造時に一部の添加剤に対する相溶性が低下するおそれがある。
【００２７】
本開示の潤滑基油において、潤滑基油中の炭化水素の種類別含有量は、潤滑基油の性状に有意な影響を与える。より具体的には、パラフィン系炭化水素の場合には、潤滑基油中の含有量が増加するほど潤滑性能が増加し、酸化安定性及び熱安定性が向上し、温度変化による粘度維持能力が向上するが、低温での流れ性は減少する。また、芳香族炭化水素の場合には、潤滑基油中の含有量が増加するほど添加剤との相応性が向上するが、酸化安定性及び熱安定性が低下し、有害性が増加する。また、ナフテン系炭化水素の場合には、潤滑基油中の含有量が増加するほど添加剤との相応性が向上し、低温での流動性が向上するが、酸化安定性及び熱安定性が低下する。一方、本開示において、前記潤滑基油中の炭化水素の種類別含有量は、ＡＳＴＭ  Ｄ２１４０に規定された組成分析方法によって測定される。
【００２８】
Ｎｏａｃｋ揮発性（Ｎｏａｃｋ  ｖｏｌａｔｉｌｉｔｙ）は、高温（例えば、２５０℃）の条件でオイルの蒸発減量を決定する。Ｎｏａｃｋ揮発性は、ＡＳＴＭ  Ｄ５８００に準拠して決定できる。揮発性が増加すると、オイル消耗が増加することを意味する。従来の鉱油系潤滑基油（例えば、ＹＵＢＡＳＥ  ４  ｐｌｕｓ）は、約１３．２重量％のＮｏａｃｋ揮発性を有する。潤滑基油のＮｏａｃｋ揮発性が１２重量％よりも大きい場合には、潤滑基油から製造された潤滑油の蒸発減量が劣って潤滑油の交換周期が短くなる。これに比べ、本開示の一実施形態による潤滑基油は、１０〜１２重量％のＮｏａｃｋ揮発性を有することができる。本開示の低いＮｏａｃｋ揮発性は、狭い沸点範囲で、炭化水素が分布している蒸留留分から潤滑基油が製造されたことに起因する。
【００２９】
粘度指数とは、温度に応じて粘度が変化する程度を示す尺度である。温度変化による粘度変化が少ない場合を、粘度指数が高いと定義する。低温で始動性が良く、高温で油膜が維持されなければならないので、潤滑基油は、粘度指数が高い方が良い。粘度指数は、ＡＳＴＭ  Ｄ２２７０に準拠して決定できる。従来の鉱油系潤滑基油（例えば、ＹＵＢＡＳＥ  ４  ｐｌｕｓ）は、約１３１の粘度指数を有する。これに比べ、本開示の一実施形態による潤滑基油は、１３２〜１４２、好ましくは１３４〜１４０、より好ましくは１３５〜１３９の粘度指数を有することができる。
【００３０】
本開示による潤滑基油は、１１５〜１２０℃、より好ましくは１１７〜１１９℃のアニリン点を有することができる。アニリン点は、炭化水素が同じ体積のアニリンに完全に溶解する最低温度をいい、炭化水素の溶解性を示す数値である。アニリン点は、韓国工業規格ＫＳＭ５０００試験方法の分類６０３１に準拠して測定できる。
【００３１】
本開示の一実施形態による潤滑基油は、０．８１５〜０．８３５、好ましくは０．８２２〜０．８２９、より好ましくは０．８２４〜０．８２８の比重（６０／６０°Ｆ）を有することができる。比重（６０／６０°Ｆ）は、６０°Ｆでのオイルと６０°Ｆでの同じ体積を有する純水との重量比を意味する。比重は、潤滑基油の性能に直接影響を及ぼすのではないが、同じ分子量基準でパラフィン、ナフテン、芳香族の組成を類推することができる（同じ分子量を基準に、パラフィン＜ナフテン＜芳香族の順に比重が高い）。
前記比重が０．８３５よりも大きい場合には、パラフィンの含有量が低いため、熱／酸化安定性が相対的に劣り、前記比重が０．８１５よりも小さい場合には、パラフィンの含有量が高いため、添加物との相溶性が相対的に劣るおそれがある。前記比重は、ＡＳＴＭ  Ｄ１２９８に準拠して決定できる。
【００３２】
本開示の一実施形態による潤滑基油は、３．９〜４．４ｃＳｔ、好ましくは３．９〜４．３ｃＳｔ、より好ましくは４．０〜４．３ｃＳｔの１００℃での動粘度を有することができる。動粘度は、流体の粘度を前記流体の密度で割った値を意味する。一般に、潤滑基油での粘度は動粘度を指し、測定温度は国際標準化機構（ＩＳＯ）粘度分類によって４０℃、１００℃と定めている。前記動粘度は、ＡＳＴＭ  Ｄ４４５に準拠して決定できる。
【００３３】
本開示の潤滑基油は、３．９ｃＳｔ〜４．４ｃＳｔの１００℃での動粘度を有することができる。よって、本開示による潤滑基油は、エンジンオイル製品に適用されるとき、低粘度のエンジンオイルを製造することができる。
【００３４】
本開示の一実施形態によれば、前記潤滑基油中の炭素数が２５〜３２である炭化水素の含有量は、鉱油系潤滑基油全体に対して、８５重量％以上１００重量％以下、好ましくは８６重量％以上９９重量％以下、より好ましくは８７重量％以上９８重量％以下であり得る。前記潤滑基油中の炭素数が２５〜３２である炭化水素分子の含有量が潤滑基油全体に対して８５重量％未満である場合、炭素数分布が広くなって揮発性能が悪化したり低温性能が悪化したりすることができる。
【００３５】
（ｄ）水素化仕上げ工程
本開示の一実施形態において、前記脱蝋された留分は、選択的に水素化仕上げ工程に導入できる。
水素化仕上げ（Ｈｙｄｒｏｆｉｎｉｓｈｉｎｇ）工程は、水素化仕上げ触媒の存在下に製品別の要求規格に応じて脱蝋処理された留分のオレフィン及び多環芳香族を除去して安定性を確保し、特に芳香族の含有量及びガス吸湿性などを最終調整するステップである。一般に、１５０〜３００℃の温度、３０〜２００ｋｇ／ｃｍ2の圧力、０．１〜３ｈ-1の空間速度（ＬＨＳＶ）、及び流入した留分に対する水素の体積比が３００〜１５００Ｎｍ3／ｍ3である条件で行われる。
【００３６】
水素化仕上げ工程で使用される触媒は、金属を担体に担持して使用し、前記金属には、水素化機能を有する第６族、第８族、第９族、第１０族、第１１族元素から選択された一つ以上の金属を含み、好ましくは、Ｎｉ−Ｍｏ、Ｃｏ−Ｍｏ、Ｎｉ−Ｗの金属硫化物系またはＰｔ、Ｐｄの貴金属を使用する。
【００３７】
また、水素化仕上げ工程に使用される触媒の担体としては、表面積が広いシリカ、アルミナ、シリカ−アルミナ、チタニア、ジルコニアまたはゼオライトを使用することができ、好ましくは、アルミナまたはシリカ−アルミナを使用する。担体は、前記金属の分散度を高めて水素化性能を向上させる役割を果たし、生成物のクラッキング（ｃｒａｃｋｉｎｇ）及びコーキング（ｃｏｋｉｎｇ）を防止するために酸点を制御することが非常に重要である。
【００３８】
（ｅ）潤滑油製品
本開示の一実施形態において、前述した潤滑基油を１０〜８５重量％、３０〜８０重量％、５０〜７５重量％、及びこれらの間の全範囲及び下位範囲を含む潤滑油製品が作られる。本開示による潤滑基油の含有量は、潤滑油製品の用途及び目的に応じて多様に調節可能であり、本開示による潤滑基油は、所望の製品仕様に合わせて他の鉱油系潤滑基油製品と適切に配合して使用できる。
【００３９】
本開示による一実施形態において、前記潤滑油製品は、合成基油を含有しなくてもよい。例えば、前記潤滑油製品は、ＰＡＯまたはエステル系基油を含まない。高価のＰＡＯ又はエステル系潤滑基油を用いなくても、本開示による潤滑基油を含有することにより、製品規格を満たす潤滑油製品の製造が可能である。
【００４０】
本開示による一実施形態において、前記潤滑油製品は添加剤をさらに含むことができる。前記添加剤は、例えばＤＩパッケージ、酸化防止剤、防錆剤、清浄分散剤、消泡剤、粘度調整剤、粘度指数向上剤、極圧剤、流動点降下剤、腐食防止剤、または乳化剤などであり得る。ただし、潤滑油製品に一般に添加される添加剤であれば、これに限定されない。
前記潤滑油製品は、例えば、５〜２５重量％、１０〜２０重量％または１５〜１８重量％のＤＩパッケージ、１〜１５重量％、３〜１３重量％または５〜１０重量％の粘度調整剤、及び０．１〜５重量％、１〜４重量％または２〜３重量％の流動点降下剤をさらに含むことができる。
前記潤滑油製品は、低揮発性能が要求される分野または環境で使用が可能であり、従来のＰＡＯまたはエステル系潤滑基油で製造された潤滑油製品を代替することが可能である。前記潤滑油製品は、例えば自動車用エンジン油であり得るが、これに限定されない。
【実施例】
【００４１】
以下、実施例を挙げて本開示をさらに具体的に説明するが、これらの実施例に本開示の範疇が限定されるものではない。
【００４２】
実施例１
１４８〜１５１の粘度指数（ＶＩ）、２０ｐｐｍｗ以下の硫黄、約５ｐｐｍｗ以下の窒素を有する未転換油を減圧蒸留して、約４．２ｃＳｔの動粘度（１００℃）、約１５５の粘度指数、約４２０℃のＤ５重量％、及び約４５０℃のＤ９５重量％を有する蒸留留分を得た。この蒸留留分を触媒脱蝋して本開示による新規の潤滑基油を製造した。触媒脱蝋ステップでは、異性化触媒としてｐｔ／ゼオライトを使用した。反応圧力は、１５０〜１６０ｋｇ／ｃｍ2ｇであり、ＬＨＳＶの範囲は１．０〜２．０ｈｒ-1であり、水素とオイルの比率は４００〜６００Ｎｍ3／ｍ3の範囲で反応を行った。反応温度は約３４０〜３６０℃であった。運転時の反応温度は、触媒脱蝋反応留出物の流動点が−１５〜２１℃の範囲に含まれるように調節した。
【００４３】
比較例１
従来の鉱油系潤滑基油（ＹＵＢＡＳＥ  ４  ｐｌｕｓ）は、触媒脱蝋の際に蒸留留分として、約３９０℃のＤ５重量％及び約４７０℃のＤ９５重量％を有する蒸留留分を使用した以外は、前記実施例１と同様にして製造される。
新規の潤滑基油及びＹＵＢＡＳＥ  ４  ｐｌｕｓを始めとする従来の潤滑基油の性状を表３に示す。
【００４４】
【表３】
2020147741.tif 000005
【００４５】
−Ｎｏａｃｋ揮発性の改善
新規の潤滑基油のＮｏａｃｋ揮発性は、類似した粘度等級の潤滑基油の中で最も優れた。特に、新規の潤滑基油は、本発明で限定した沸点範囲よりも広い沸点範囲を有する従来の鉱油系潤滑基油（ＹＵＢＡＳＥ  ４  ｐｌｕｓ）と比較して、ヨーロッパ乗用車用エンジンオイル（０Ｗ−１６等級）の揮発性規格を満たすことができた（下記実施例４の表６を参照）。
新規の潤滑基油のＮｏａｃｋ揮発性値が減少するにつれて、潤滑油消耗量が減少するものと予想され、実際の使用時に揮発した潤滑油により発生する炭化物堆積量が減少するという効果がある。
【００４６】
−優れた粘度指数
新規の潤滑基油の粘度指数は１３０以上であり、類似した粘度等級の潤滑基油の中で最も優れた。潤滑基油の粘度指数が高くなるにつれて、潤滑油への製造時に燃費が向上するという効果がある。
【００４７】
−価格競争力の確保
新規の潤滑基油は、鉱油系潤滑基油であって、合成によって製造するＰＡＯと比較して製造コストが低い。
【００４８】
−組成の違い
ＰＡＯ及びＧＴＬは、９９重量％以上のパラフィンを含むのに対し、新規の潤滑基油は、鉱油系潤滑基油であって、約８７重量％のパラフィン及び約１３重量％のナフテンを含む。これにより、本発明に係る新規の潤滑基油のアニリン点は、ＰＡＯ及びＧＴＬよりも低い１１８℃を示す。一方、ＹＵＢＡＳＥ  ４  ｐｌｕｓなどの従来のグループＩＩＩ＋の鉱油系潤滑基油は、本発明の潤滑基油よりも少ない約８４重量％のパラフィンを含む。
【００４９】
実施例２
実施例１で製造された新規の潤滑基油及びＰＡＯに添加剤をそれぞれ添加して、ヨーロッパ乗用車用エンジンオイル（０Ｗ−３０等級）を製造し、これらの性状を表４に示す。
【００５０】
【表４】
2020147741.tif 000006
【００５１】
ＰＡＯを使用せず、新規の潤滑基油を用いて、当該規格を満たすエンジンオイルの配合式（ｆｏｒｍｕｌａｔｉｏｎ）の設計が可能であった。
【００５２】
実施例３
実施例１で製造された新規の潤滑基油及びＰＡＯに添加剤をそれぞれ添加して、ヨーロッパ乗用ディーゼル車用エンジンオイル（０Ｗ−２０等級）を製造し、これらの性状を表５に示した。
【００５３】
【表５】
2020147741.tif 000007
【００５４】
ＰＡＯを使用せず、新規の潤滑基油を用いて、当該規格を満たすエンジンオイルの配合式（ｆｏｒｍｕｌａｔｉｏｎ）の設計が可能であった。
【００５５】
実施例４
実施例１で製造された新規の潤滑基油及びＹｕｂａｓｅ  ４  ｐｌｕｓ潤滑基油に添加剤をそれぞれ添加してヨーロッパ乗用車用エンジンオイル（０Ｗ−１６等級）を製造し、これらの性状を表６に示す。
【００５６】
【表６】
2020147741.tif 000008
【００５７】
新規の潤滑基油の適用時に従来の鉱油系潤滑油を適用するのと対比して、Ｎｏａｃｋ揮発性の値が減少することを確認することができた。
【００５８】
以上、本開示を具体的な実施形態によって詳細に説明したが、これは本開示を具体的に説明するためのものであり、本開示は、これに限定されず、本開示の技術的思想内で当該分野における通常の知識を有する者によって変形または改良できることが明らかである。
本開示の単純な変形または変更はいずれも、本開示の領域に属するものであり、本開示の具体的な保護範囲は、特許請求の範囲によって明確になるだろう。
【図１】
2020147741.tif 000009
【図２】
2020147741.tif 000010
【図３】
2020147741.tif 000011